(57)【特許請求の範囲】
【請求項１】
エンクロージャアセンブリ（１００、１００’）であって、
様々な深さ位置での装着と、データおよび／または電力伝送線（３０１）を終端する少なくとも１つのコネクタ（２０１）をエンクロージャアセンブリ（１００）の長手方向（Ｘ）に沿って互いから距離を置かれた少なくとも２つの異なる保持位置（Ｅｍｉｎ、Ｅｍａｘ）において受容するためのものであり、
エンクロージャアセンブリ（１００、１００’）は、
少なくとも１つのハウジングサブアセンブリ（１２０）と、
前記保持位置（Ｅｍｉｎ、Ｅｍａｘ）を提供するリテーナ区域（１０６）を有する入れ子式サブアセンブリ（１２１）と、を備え、
前記入れ子式サブアセンブリ（１２１）は、前記入れ子式サブアセンブリ（１２１）の前記ハウジングサブアセンブリ（１２０）に対する前記長手方向（Ｘ）に平行な移動を防止可能に、前記ハウジングサブアセンブリ（１２０）内に保持されるように構成されているとともに、
前記保持位置（Ｅｍｉｎ、Ｅｍａｘ）が、前記入れ子式サブアセンブリ（１２１）における前記リテーナ区域（１０６）の外周に沿って少なくとも部分的に延在する少なくとも２つのリブ（１４４）によって規定され、
前記リテーナ区域（１０６）が、前記入れ子式サブアセンブリ（１２１）のリテーナブッシング（１０４）の一端における外周に沿って延びるように形成されている、
エンクロージャアセンブリ（１００、１００’）。
【請求項２】
前記リテーナ区域（１０６）が、前記長手方向（Ｘ）に沿って互いから距離を置かれた複数の前記保持位置（Ｅｍｉｎ、Ｅｍａｘ）を提供する、
請求項１に記載のエンクロージャアセンブリ（１００、１００’）。
【請求項３】
前記保持位置（Ｅｍｉｎ、Ｅｍａｘ）が、前記長手方向（Ｘ）に沿って本質的に等しい増分の下で互いから距離を置かれた、
請求項１または２に記載のエンクロージャアセンブリ（１００、１００’）。
【請求項４】
遮蔽要素（１１６）が、前記ハウジングサブアセンブリ（１２０）の内側本体（１１１）の中に挿入されるように適合されたスリーブ区域（１１６ａ）を有する、
請求項１から３の少なくとも一項に記載のエンクロージャアセンブリ（１００、１００’）。
【請求項５】
前記入れ子式サブアセンブリ（１２１）が、ばね式リテーナ（１１２）を備え、
前記ばね式リテーナ（１１２）は、その一部が前記長手方向（Ｘ）において前記リテーナ区域（１０６）と重なり合うように構成されている、
請求項１に記載のエンクロージャアセンブリ（１００、１００’）。
【請求項６】
前記ばね式リテーナ（１１２）が、その内周面に複数のリブ（１４３）を有し、前記ばね式リテーナ（１１２）の前記複数のリブ（１４３）は、前記リテーナ区域（１０６）の前記リブ（１４４）と噛み合わされるように構成される、
請求項５に記載のエンクロージャアセンブリ（１００、１００’）。
【請求項７】
前記ばね式リテーナ（１１２）が、ラッチ要素（１３４、１３５、１３８）を有し、
前記ラッチ要素（１３４、１３５、１３８）は、その一端部（１３５、１３８）が前記ハウジングサブアセンブリ（１２０）の外側シェル（１１０）の内周に沿って移動可能なように構成される、
請求項５または６に記載のエンクロージャアセンブリ（１００、１００’）。
【請求項８】
前記ハウジングサブアセンブリ（１２０）が、内側本体（１１１）と、少なくとも前記エンクロージャアセンブリ（１００、１００’）が完全組立状態（Ｃ）において前記内側本体（１１１）を少なくとも部分的に受け入れる外側シェル（１１０）と、少なくとも前記完全組立状態（Ｃ）において前記内側本体（１１１）を前記外側シェル（１１０）に接続するロック機構（１２３）と、を備え、
前記ロック機構（１２３）が、少なくとも１つの第１のバヨネット結合部（１２５）を備えており、
前記第１のバヨネット結合部（１２５）が、前記内側本体（１１１）ならびに前記外側シェル（１１０）に形成されかつ少なくとも前記完全組立状態（Ｃ）において、実質的に前記長手方向（Ｘ）における前記内側本体（１１１）の前記外側シェル（１１０）に対する移動を阻止する、
請求項１から７の少なくとも一項に記載のエンクロージャアセンブリ（１００、１００’）。
【請求項９】
前記第１のバヨネット結合部（１２５）が、少なくとも１つの第１のスロット（１２７）を備えており、
前記第１のスロット（１２７）が、前記外側シェル（１１０）に形成されかつ前記内側本体（１１１）に形成された少なくとも１つの第１のピン（１３１）を受け入れるように適合されている、
請求項８に記載のエンクロージャアセンブリ（１００、１００’）。
【請求項１０】
前記ロック機構（１２３）が、少なくとも１つの第２のスロット（１２８）をさらに備えており、
前記第２のスロット（１２８）は、前記エンクロージャアセンブリ（１００、１００’）を相手側エンクロージャアセンブリ（４００）に接続するための第２のバヨネット結合部（１２６）の一部として前記外側シェル（１１０）に形成されている、
請求項８または９に記載のエンクロージャアセンブリ（１００、１００’）。
【請求項１１】
前記少なくとも１つの第１のスロット（１２７）および前記少なくとも１つの第２のスロット（１２８）が、移行スロット（１２９）によって互いに接続される、
請求項９に従属する請求項１０に記載のエンクロージャアセンブリ（１００、１００’）。
【請求項１２】
前記少なくとも１つの第２のスロット（１２８）が、挿入開口部（１３０）を通して前記エンクロージャアセンブリ（１００）の外側に開いている、
請求項１０または１１に記載のエンクロージャアセンブリ（１００、１００’）。
【請求項１３】
シーリング要素（１２２）をさらに備えており、
前記シーリング要素（１２２）は、前記ハウジングサブアセンブリ（１２０）および前記入れ子式サブアセンブリ（１２１）との間に配置される、
請求項１から１２の少なくとも一項に記載のエンクロージャアセンブリ（１００、１００’）。
【発明の詳細な説明】
【技術分野】
【０００１】
本発明は、様々な深さ位置での装着のための、ならびにデータおよび／または電力伝送線を終端する少なくとも１つのコネクタを受容するための、エンクロージャアセンブリに関する。
【背景技術】
【０００２】
エンクロージャアセンブリは、少なくとも１つの種類の一般向けに標準化されたコネクタを収容して、これらを衝撃、引っ張り、腐食性物質、化学物質への曝露および／または日光への曝露などの、有害な環境的影響から保護するために、一般に使用される。伝送線は、少なくとも１つの伝送線を備えるケーブルの一部であってよい。ケーブルは、終端用の構成またはサブアセンブリによって終端することができる。この終端用の構成またはサブアセンブリは、少なくとも１つの伝送線がケーブルの外に出る場所であるケーブルの端部区域に位置付けられることになる、固定具または端部キャップを備え得る。固定具を使用して、コネクタおよび／または伝送線をエンクロージャアセンブリ内に取り付けることができる。
【０００３】
たとえば、ケーブルは光ファイバケーブルであってよく、また、伝送線は光ファイバであってよい。光ファイバは、ファイバ素子をいくつかの個々のファイバと共に備えるユニットとなってもよい。ファイバは、いくつかのファイバを備えるバンドルへと束ねられてもよい。そのような１つのバンドルまたはいくつかのバンドルを、ケーブル内に収容することができる。ファイバ自体がかなり長くて細く、したがってたとえば折れやひび割れによって損傷し易いので、張力解放手段を設けてファイバ自体に作用し得る何らかの応力を除去することが望まれる。
【０００４】
エンクロージャアセンブリはこの中に受容された少なくとも１つのコネクタと共に、それぞれの相手側プラグコネクタと嵌合するように適合された、電気プラグコネクタおよび／または光プラグコネクタと見なすことができる。相手側プラグコネクタはしたがって、相手側エンクロージャアセンブリおよび／または相手側コネクタを備える場合がある。エンクロージャアセンブリを、相手側エンクロージャアセンブリと嵌め合わせつつ、同時にコネクタを相手側コネクタの中にまたは相手側コネクタをコネクタの中に差し込むように、適合することができる。相手側コネクタは、たとえば電子／電気機器用のハウジングの一部であってよく、このハウジングにおいてまたはその中に、隔壁を形成してよい。相手側プラグコネクタの寸法、特に、相手側エンクロージャアセンブリの中でのまたはこれに対する、エンクロージャアセンブリの長手方向および／またはプラグコネクタのプラグ方向に沿った、相手側コネクタの位置の寸法は、製造者によってかつ／または用途によって変動し得る。
【発明の概要】
【発明が解決しようとする課題】
【０００５】
エンクロージャアセンブリに関する要件ならびに相手側プラグコネクタおよび／または相手側エンクロージャアセンブリの多様性に鑑みて、様々な種類の相手側エンクロージャアセンブリおよび相手側プラグコネクタのために使用することのできる、丈夫で、安全で、封止可能で、しかも扱い易いエンクロージャアセンブリを提供することが、本発明の目的である。
【課題を解決するための手段】
【０００６】
この目的は、本発明により以下の形で達成される。すなわち、エンクロージャアセンブリが、エンクロージャアセンブリの長手方向に沿って互いから距離を置かれた少なくとも２つの異なる保持位置において、データおよび／またはポートおよび／または電力伝送線を終端する少なくとも１つのコネクタを受容するように適合され、このエンクロージャアセンブリが、少なくとも１つのハウジングサブアセンブリと保持位置を提供する保持区域を有する入れ子式サブアセンブリとを備え、この場合、少なくとも保持された状態および／またはエンクロージャアセンブリが完全に組み立てられた状態において、入れ子式サブアセンブリが、少なくともハウジングサブアセンブリに対して長手方向において位置直し不可能（non-relocatable）である様式で、ハウジングサブアセンブリ内に保持される。
【０００７】
この解決法は、先行技術から知られているエンクロージャアセンブリに対して、コネクタおよび／またはこのコネクタを備えるコネクタサブアセンブリのエンクロージャアセンブリに対する位置を、手元にある相手側エンクロージャアセンブリおよび／または相手側コネクタに適合できるという決定的な利点を有する。言い換えれば、エンクロージャアセンブリおよび終端アセンブリを備えるプラグコネクタを、少なくとも２つの保持位置のうちの１つを選択して相手側プラグコネクタに合わせて容易に調整することができる。したがって、コネクタを、ハウジングサブアセンブリおよび／または入れ子式サブアセンブリによって提供され得る内部空間内に、少なくとも２つの保持位置に従って、可変的に受容できる。コネクタの相手側コネクタへの接続、および同時に、エンクロージャアセンブリと相手側エンクロージャアセンブリとの係合を可能にする、内部空間内でのコネクタの位置を選択できる。
【０００８】
本発明による上述の解決法を、以下の本発明の有利な実施形態のうちのいずれか１つとそれぞれ任意の方法で組み合わせることができると共に、こうしてさらに改善することができる。
【０００９】
本発明によるエンクロージャアセンブリを、様々な種類の相手側プラグコネクタ、すなわち相手側エンクロージャアセンブリおよび相手側コネクタに対して可変的に使用できれば、有利である。
【００１０】
また、このエンクロージャアセンブリが遮蔽要素によって遮蔽を提供することも有利である。
【００１１】
第１の可能なさらなる実施形態によれば、保持区域は、長手方向に沿って互いから距離を置かれた複数の保持位置を提供できる。複数の保持位置を、それぞれ拡張が最大である位置と拡張が最小である位置であってよい、少なくとも２つの保持位置の間に配置することができる。このことにより、エンクロージャアセンブリに対するコネクタの位置を、複数の異なる相手側コネクタおよび相手側エンクロージャアセンブリに合わせて容易に調整することができる。
【００１２】
保持位置は、長手方向に沿って本質的に等しい増分の下で互いから距離を置くことができる。エンクロージャアセンブリの拡張を最大にまたは最小にできる範囲の増加は、入れ子式サブアセンブリをハウジングサブアセンブリ内に確実に保持することを助け、このとき、増加された保持位置のうちの１つが採られていることの触覚フィードバックおよび／または聴覚フィードバックが与えられる。
【００１３】
保持位置は、入れ子式サブアセンブリの外周に沿って少なくとも部分的に延在する少なくとも２つのリブによって規定できる。これらのリブは、入れ子式サブアセンブリの外周に沿って環状に、たとえば溝同士の間に形成でき、また、入れ子式サブアセンブリが所望の保持位置内に確実に保持されるようにそれぞれの歯部と噛み合わせることのできる歯部を提供することができる。
【００１４】
遮蔽要素はハウジングサブアセンブリの一部であってよい。保持されていない状態および／またはエンクロージャアセンブリの事前組立状態（pre-assembled state）では、入れ子式サブアセンブリをハウジングサブアセンブリ内で長手方向に沿って移動可能としておくことができる。このことにより、ハウジングサブアセンブリ内での入れ子式サブアセンブリの位置を容易に調整することができる。コネクタおよび／またはケーブル上の固定具を、入れ子式サブアセンブリのところで支持することができ、この入れ子式サブアセンブリは、コネクタおよび／または固定具と共に、長手方向に沿って所望の位置へと移動させることができる。
【００１５】
保持区域を、入れ子式サブアセンブリの保持具ブッシングのところに形成することができる。リテーナブッシングは、スリーブのところに形状形成することができ、またエンクロージャアセンブリの内部空間の少なくとも複数の部分を提供することができる。リテーナブッシングを、少なくとも１つの伝送線を含むケーブルの端部区域上にある終端アセンブリの固定具を保持するように適合することができる。したがって、まず固定具をリテーナブッシングのところにおよび／またはその中に支持することができ、次いでこのリテーナブッシングをハウジングアセンブリの中に挿入することができる。
【００１６】
入れ子式サブアセンブリは、少なくとも１つのばね式リテーナを備え得る。このばね式リテーナは、少なくとも保持状態および／または完全組立状態において保持区域と相互作用する少なくとも１つの保持要素を備える。この場合、ばね式リテーナおよびリテーナブッシングの互いに対する移動が少なくとも長手方向に沿って阻止される。ばね式リテーナは、保持区域の保持要素と相互作用する対合する保持要素を提供することができ、この結果、これらの対合する保持要素は、たとえば長手方向に沿って交互配置されて、リテーナブッシングに対するばね式リテーナの移動を阻止する。ばね式リテーナを、完全に組み立てられた位置において、ハウジングサブアセンブリのところで長手方向および／またはその反対方向において支持することができる。このことにより、ばね式リテーナを使用して、少なくとも保持状態および／または完全組立状態において、入れ子式サブアセンブリをハウジングサブアセンブリ内に支持することができる。
リテーナブッシングと相互作用することによって、入れ子式サブアセンブリを、ばね式保持具を介してハウジングサブアセンブリのところで、長手方向および／またはその反対方向において支持することができる。たとえば、保持要素を使用して、ばね式リテーナを、ハウジングサブアセンブリとラッチする、ハウジングサブアセンブリとロックする、および／またはハウジングサブアセンブリのところでブロックすることができる。
【００１７】
保持状態および／または完全組立状態において、ハウジングサブアセンブリのところに形成された作動区域によって、ばね式リテーナの作動手段のところでばね式リテーナを保持位置内に保持することができる。ラッチ開口部、ロック開口部および／もしくはブロック開口部内にあり、かつ／または、たとえばハウジングサブアセンブリの内周にある斜面に沿って保持位置へと移動するときに保持位置へと押し込まれる、たとえばスタッド、ラグ（ｌｕｇ）などの突出部として、作動手段を形成できる。保持位置および／または保持状態には、たとえば入れ子式サブアセンブリをハウジングサブアセンブリに対して事前に規定された量だけ変位させるときに、特に、エンクロージャアセンブリを事前ロック位置からロック位置へとおよび／または事前組立状態から完全組立状態へと移すときに、ハウジングサブアセンブリをばね式リテーナに対して事前に規定された量だけ変位させることによって、達することができる。
【００１８】
本発明の根底にある問題を解決する上述の複数の実施形態とは独立して、この問題は、以下の形で、別法によりおよび／または追加的に解決できる。すなわち、本発明の実施形態によるハウジングサブアセンブリが、内側本体と、少なくともエンクロージャアセンブリの完全組立状態において内側本体を少なくとも部分的に受け入れる外側シェルと、少なくとも完全組立状態において内側本体を外側シェルに接続するロック機構と、を備えることができる。この場合、ロック機構が、内側本体ならびに外側シェルに形成されかつ少なくとも完全組立状態においてエンクロージャアセンブリの実質的に長手方向における内側本体の外側シェルに対する移動を阻止する、少なくとも１つの第１のバヨネット結合部を備える。少なくとも１つの第１のバヨネット結合部は、内側本体および外側シェルの、互いに対する本質的に長手方向を横断する方向への移動を要求する場合がある。
このことによって、この第１のバヨネット結合部は、完全組立状態においてハウジングサブアセンブリを、これを入れ子式サブアセンブリ、特にリテーナブッシングに対して大きく移動させることなく固着することを可能にし得る。ばね式リテーナは、バヨネット結合部を作動することにより、ハウジングサブアセンブリを事前ロック状態からロック状態へともっていくときに、同時に保持位置へと移されてよい。バヨネット結合部は、少なくとも２つの所望の保持位置のうちの所望の１つが固着されているとき、エンクロージャアセンブリ、特にばね式リテーナおよび／またはリテーナブッシング、すなわち入れ子式サブアセンブリを、保持されていない状態から保持状態へと、事前に規定されたように移動させることができる。
【００１９】
第１のバヨネット結合部は、外側シェルに形成された少なくとも１つの第１のスロットを備えることができ、また内側本体に形成された少なくとも１つの第１のピンを受け入れるように適合される。このことにより、ハウジングサブアセンブリは第１のバヨネット結合部を容易に提供することができる。
【００２０】
ロック機構は、相手側コネクタ相手側エン第２のバヨネット結合部の一部として外側シェルに形成された、少なくとも１つの第２のスロットをさらに備えることができる。第２のバヨネット結合部は、嵌合コネクタを受容する嵌合エンクロージャアセンブリにエンクロージャアセンブリを接続するためのものである。したがって、ロック機構は、外側シェルを内側本体におよびエンクロージャアセンブリを相手側エンクロージャアセンブリに接続するための、二重ロック機構として使用することができる。エンクロージャアセンブリの少なくとも１つのばね要素を、第１のバヨネット結合部ならびに第２のバヨネット結合部に関するロック機構の一部として使用することができる。
【００２１】
少なくとも１つの第１のスロットおよび第２のスロットを、移行スロットによって互いに接続することができる。第１のスロットおよび／または移行スロットの幅は、第２のスロットの幅よりも小さくてよい。このことにより、相手側エンクロージャアセンブリの第２のピンが、第１のスロットの中に誤って入る可能性がなくなり、したがって第１のスロットが第１のピン用に確保されることになる。少なくとも１つの第２のスロットは、挿入開口部を通してエンクロージャアセンブリの外側に開かれていてよい。挿入開口部は、第１のピンと第２のピンの両方を、それぞれ第１のスロットおよび第２のスロットの中に導入する役割を果たし得る。
【００２２】
本発明の根底にある問題を解決する上述の実施形態とは独立して、この問題は、以下の形で、別法によりおよび／または追加的に解決できる。すなわち、本発明の実施形態によるエンクロージャアセンブリが、少なくとも１つの環状シーリング要素、ならびに少なくとも１つのワッシャを有する、シーリングサブアセンブリを備えることができる。このワッシャは、遅くともロック位置、保持された状態、および／または完全組立状態において、上記シーリング要素とハウジングサブアセンブリおよび入れ子式サブアセンブリのうちの少なくとも一方との間に配置され、かつ少なくとも１つのシーリング要素の長手方向への圧縮に寄与する。少なくとも１つのワッシャにより、ハウジングサブアセンブリを回動によってロックするときに、ハウジングサブアセンブリおよび／または入れ子式サブアセンブリを、たとえばゴムなどのような高摩擦材料から形成され得るシーリング要素に対して回転させることが可能になる。このことは、外側シェルを内側本体に接続するための第１のバヨネット結合部をハウジングサブアセンブリに設ける場合に、特に有利である。
【００２３】
シーリングサブアセンブリをさらに、エンクロージャアセンブリの中軸と同軸に配置することができる。中軸は、本質的に長手方向に平行に延びることができる。シーリング要素を、長手方向に対して本質的に垂直に延びる半径方向に拡張することができ、このことによりシーリング要素は、ハウジングサブアセンブリならびに入れ子式サブアセンブリに、半径方向および／またはその反対方向において当接できる。このことにより、シーリング要素の密にフィットする収容およびハウジングサブアセンブリと入れ子式サブアセンブリとの間の信頼性のあるシーリングが可能となる。入れ子式サブアセンブリのシーリング区域は、長手方向に沿って延在することができ、本質的に長手方向に平行に測定された、保持区域の長さを少なくとも有し得る。したがって、入れ子式サブアセンブリを、ハウジングサブアセンブリに対して長手方向における様々な位置で封止することができる。シーリング区域を、たとえばリテーナブッシングのところに形成することができる。
【００２４】
さらに、相手側エンクロージャアセンブリおよび／またはこの相手側エンクロージャアセンブリを備え得る本発明による相手側プラグ要素を、上述の本発明の実施形態によるエンクロージャアセンブリに差し込まれて１つになりかつ接続されるように適合することができる。したがって、相手側エンクロージャアセンブリにはたとえば、第２のバヨネットロックを構成するために、上述の第２のピンのうちの少なくとも１つを設けることができる。少なくとも１つの第２のピンを、たとえば相手側エンクロージャアセンブリのカラーの外周として形成することができる。カラーを、エンクロージャアセンブリのプラグ部分に挿入されることになる、相手側エンクロージャアセンブリの嵌合プラグ区域に形成することができ、またはその逆も可能である。
【００２５】
本発明について、有利な実施形態を例示する添付の図面を参照して、以下に例示によりさらに詳細に記載する。記載する実施形態は可能な構成に過ぎないが、これらの構成に基づいて、上記のように、個々の特徴を互いから独立して実施できるか、または個々の特徴を省略できる。複数の図面に図示した対応する要素には、同じ参照符号を付す。説明の、異なる図面中の同じ要素に関連する部分は、省略する。
【図面の簡単な説明】
【００２６】
【図１】エンクロージャアセンブリが完全組立状態にある、伝送線を終端する少なくとも１つのコネクタを受容する本発明によるエンクロージャアセンブリを備えるプラグコネクタの、概略斜視図である。
【図２】本発明の実施形態による、入れ子式サブアセンブリの一部としてリテーナブッシングを設けられたケーブルおよび／または伝送線のための終端構成の、概略斜視図である。
【図３】図２に示すリテーナブッシングを設けられた終端構成、ケーブル、および伝送線の、概略斜視分解図である。
【図４】本発明の実施形態による、エンクロージャアセンブリのサブアセンブリの一部として遮蔽要素、シーリングサブアセンブリ、およびばね式リテーナを有するハウジングサブアセンブリの、概略斜視分解図である。
【図５】保持されていない状態および／または事前組立状態にある、エンクロージャアセンブリの中軸に沿った、図１から図４に示すエンクロージャアセンブリおよび終端アセンブリの詳細の概略断面図である。
【図６】完全保持状態および／または完全組立状態にある、図５に示すエンクロージャアセンブリおよび終端アセンブリの詳細の概略断面図である。
【図７】中軸に沿った拡張が最小である保持位置にある、完全組立状態にあるエンクロージャアセンブリの概略断面図である。
【図８】中軸に沿った拡張が最大である保持位置にある、完全組立状態にあるエンクロージャアセンブリおよび終端アセンブリの概略断面図である。
【図９】本発明の実施形態による、相手側エンクロージャアセンブリの概略斜視図である。
【図１０】図９に示す相手側エンクロージャアセンブリの別の概略斜視図である。
【図１１】図９および図１０に示す相手側エンクロージャアセンブリが事前嵌合位置にある、完全に組み立てられかつ事前にロックされた位置にある図１から図８に示すエンクロージャアセンブリの詳細の概略斜視図である。
【図１２】図９および図１０に示す相手側エンクロージャアセンブリが半分だけ嵌合された位置に示されている、完全に組み立てられかつ事前にロックされた位置にある図１から図８に示すエンクロージャアセンブリの別の概略斜視図である。
【図１３】完全組立状態にあると共にロック位置および完全に嵌合位置にある、図１から図８に示すエンクロージャアセンブリおよび図９および図１０に示す相手側エンクロージャアセンブリのロック機構の、概略斜視図である。
【図１４】図４に示す実施形態と比較して小さな修正を行った、本発明によるエンクロージャアセンブリの別の実施形態のサブアセンブリの一部として遮蔽要素、シーリングサブアセンブリ、およびばね式リテーナを有する、ハウジングサブアセンブリの概略斜視分解図である。
【発明を実施するための形態】
【００２７】
図１は、本発明によるエンクロージャアセンブリ１００の実施形態を備えるプラグコネクタ１の概略斜視図である。エンクロージャアセンブリ１００は、完全組立状態Ｃであり、データおよび／または電力伝送のためのケーブル３００を終端する終端構成２００を取り囲む。プラグコネクタ１、エンクロージャアセンブリ１００、終端構成２００、およびケーブル３００の長手軸Ｓは、これらの中心を通って前記構成要素の長手方向Ｘに沿って延びる。この長手軸Ｓを、軸方向Ｓを規定する中心軸と見なすこともできる。長手方向Ｘは、横断方向Ｙに対して本質的に垂直に延びる。長手方向Ｘおよび横断方向Ｙはいずれも、高さ方向または垂直方向Ｚに対して垂直に延びる。まとめると、長手方向Ｘ、横断方向Ｙ、および高さ方向Ｚは、プラグコネクタ１およびその構成要素、すなわちエンクロージャアセンブリ１００、終端構成２００、およびケーブル３００を参照するデカルト座標系を構成する。
長手方向Ｘにまたしたがって長手軸Ｓにも平行に延びるプラグ方向Ｐにおいて、プラグコネクタ１を相手側プラグコネクタ２と嵌め合わせる、すなわち差し込んで１つにすることができる（図７から図１３を参照）。後方または後部への言及は全て、長手方向の反対方向に面する方向を指し得る。前方または前部への言及は全て、長手方向Ｘに面する方向を指し得る。
【００２８】
プラグコネクタ１は、相手側コネクタ２，２’の嵌合プラグ面４，４’の様々な実施形態に適合できるプラグ面３、３’を提供し得る。相手側コネクタ２、２’は、送受信機を有するケージも含むことができる。プラグ面３、３’を、エンクロージャアセンブリ１００および終端アセンブリ２００によってもたらされる、プラグ方向Ｐに面する構造と見なすことができる。嵌合プラグ面４、４’を、異なる実施形態において異なる相手側コネクタおよび／または位置の異なる相手側コネクタ（図示せず）を含み得る、相手側コネクタ２、２’の構造と見なすことができる。プラグ面３、３’を、プラグとして形成され得るプラグ部分５、５’と見なすことができる。嵌合プラグ面４、４’を、レセプタクルとして形成され得る嵌合プラグ部分６，６’の一部と見なすことができる（図７から図１３を参照）。この解決法で使用できるコネクタの種類は複数あるため、本発明によるエンクロージャアセンブリ１００の他の可能な実施形態において、プラグおよびレセプタクルの提供は、逆も可能である。
【００２９】
図２は、プラグコネクタ１の概略斜視図である。ここでは、コネクタ１および特にエンクロージャアセンブリ１００が事前組立状態Ｂにおいて図示されるようにエンクロージャアセンブリ１００の複数の部品が取り外されている。エンクロージャアセンブリ１００は、プラグコネクタ１を組み立てるときケーブル３００の外周の周りに最初に設置されることになる、張力解放要素１０１を備える。張力解放要素１０１は、可撓性区域１０２を有する。この場合、その外径は長手方向Ｘの反対方向にむき出しのケーブル３００に向かって先細となり、張力解放要素１０１はその中に保持されたケーブル３００と共に柔軟に移動することができるようになっている。可撓性区域１０２は、張力解放要素のホールディング区域１０３と融合する。このホールディング区域１０３は本質的に円筒形の形状を有する。
【００３０】
ホールディング区域１０３のところで、張力解放要素１０１は、エンクロージャアセンブリ１００のリテーナブッシング１０４に、特にそのシーリング区域１０５に接続される。このシーリング区域１０５は、本質的に張力解放要素１０１のホールディング区域１０３と同じ外径を有する。リテーナブッシング１０４には、長手方向Ｘに沿ってシーリング区域１０５の隣に、リテーナブッシング１０４を保持するためのリテーナ区域１０６が設けられ、このことにより終端構成２００および／またはケーブル３００に対するリテーナブッシング１０４の長手方向Ｘに沿った移動が阻止される。リテーナブッシング１０４は、終端構成２００の少なくとも複数の区域を受容するための、エンクロージャアセンブリ１００の内部空間１０７の少なくとも一部を提供する。終端構成２００は、少なくとも１つのコネクタを備える。このコネクタは、たとえば本明細書に示すように光データ伝送リンクを確立するためのＬＣ型コネクタであってよい。
特に、終端構成２００は、いずれも案内支持部２０２によって保持される、２つのコネクタ２０１を備える。この案内支持部２０２により、主として垂直方向Ｚにおけるおよびプラグ方向Ｐに対して垂直な横断方向Ｙにおける、ある程度の可撓性を可能にする。この可撓性により、接続部の相手側コネクタ側でのずれ（オフセット）および公差が補償される。
【００３１】
図３は、非組立状態Ａにある、プラグコネクタ１を示す。ここで、案内支持部２０２が、上側シェル２０２ａおよび下側シェル２０２ｂを備えることが明らかになる。上側シェル２０２ａおよび下側シェル２０２ｂは、複数のコネクタ２０１のそれぞれに、特にその装着区域２０４またはそこに接続されたアダプタ片に台座２０３を共に提供する。案内支持部２０２の保持構造２０５の隣に、ケーブルの伝送線３０１のための経路２０６が形成される。保持構造２０５は、終端構造の固定具２０７、特に固定部材２０８を受容する役割を果たす。固定具２０７は、ケーブル３００を終端すると共に、ケーブル３００をその挟持区域２０９で密に包囲する。固定具は、固定具２０７をリテーナブッシング１０４内に支持するための、カラーの形態の支持要素２１０をさらに提供する。固定具２０７の貫通孔２１１は、たとえばケーブル３００の２つの伝送線３０１を案内支持部２０２に向けて案内する役割を果たす。
伝送線３０１は、固定具２０７、固定部材２０８と同心に形成され配置される貫通孔２１１から出る。次いで、この伝送線３０１は、案内支持部２０２のそれぞれの経路２０６内に緩く案内されることになり、次いでこの結果、それぞれの装着区域２０４のところで端子２０１の中に入る。このことにより、案内支持部２０２により、固定具２０７、特にその固定部材２０８とコネクタ２０１、特にその装着区域２０４のそれぞれとの間で、伝送線３０１の張力解放がもたらされる。
【００３２】
さらに、図３で、非組立状態Ａでは、張力解放要素２０１がリテーナブッシング１０４から引き離されることが明らかになる。張力解放要素１０１およびリテーナブッシング１０４は、ケーブル３００上でそれらの図１および図２でのそれぞれの位置と比較して、長手方向Ｘの反対方向に摺動して戻される。張力解放要素１０１をリテーナブッシング１０４に強固に接続するために、張力解放要素１０１には、外側のねじ山１０８が設けられる。このことに応じて、リテーナブッシング１０４には内側のねじ山１０９が設けられ、この結果、これらを１つに螺合することができると共に、互いに対して長手方向Ｘにおいておよびその反対方向において移動不可能とすることができる。
【００３３】
図４は、アセンブリから取り外された、図２および図３に図示された図には示されていない、エンクロージャアセンブリ１００の複数の部品を示す。図４では、複数の部品を概略的な斜視分解図で示す。エンクロージャアセンブリ１００は、外側シェル１１０、内側本体１１１、ばね式リテーナ１１２、２つのワッシャ１１３、シーリング要素１１４、ばね要素１１５、および遮蔽要素１１６をさらに備える。外側本体には、その内径に沿って延在する段部１１７が、シーリングカラー１１８および前縁部１１９と共に設けられる。外側シェル１１０、内側本体１１１、および遮蔽要素１１６は、エンクロージャアセンブリ１００のハウジングサブアセンブリ１２０の一部を構成する。リテーナブッシング１０４およびばね式リテーナ１１２は、エンクロージャアセンブリ１００の入れ子式サブアセンブリ１２１の複数の部分を構成する。ワッシャ１１３およびシーリング要素１１４は、エンクロージャアセンブリ１００のシーリングサブアセンブリ１２２の複数の部分を構成する。
【００３４】
外側シェル１１０は、エンクロージャアセンブリ１００のロック機構１２３の複数の部分、および入れ子式サブアセンブリ１２１およびシーリングサブアセンブリ１２２の少なくとも複数の区域を受容するための容積１２４を提供する。ロック機構１２３は、それぞれ第１のスロット１２７および第２のスロット１２８の形態の、第１のバヨネット結合部１２５および第２のバヨネット結合部１２６を備える。これらは移行スロット１２９によって互いに接続され、この移行スロット１２９は、本質的に長手方向Ｘに平行に延在する。第２のスロット１２８は、挿入開口部１３０のところで長手方向Ｘに開いており、このことにより、内側本体１１１に形成された第１のピン１３８および相手側エンクロージャアセンブリの第２のピンを受け入れることが可能となる（図９から図１３を参照）。
【００３５】
内側本体１１１は、エンクロージャアセンブリ１００の内部空間１０７の少なくとも一部を提供する。そのシーリング構成１２２に向かって面する側で、内側本体１１１には、シーリング構成１２２、特にそのワッシャ１１３のうちの１つを内側本体１１１のところで支持するように適合されかつ配置された、フランジが設けられる。対合するラッチ要素１３３は、ばね式リテーナ１１２の保持要素１３４、特にそのラッチ要素１３５を受容するための切欠きとして、内側本体１１１の壁部に形成される。保持要素１３４は、ばね区域１３７をそれぞれ有する、ばね式リテーナ１１２のカラー区域から本質的に長手方向Ｘの反対方向にかつ長手軸Ｓに平行に離れるように延在するロック用フックとして形成される。ばね区域１３７のそれぞれから、ラッチ要素１３５のうちの１つが、長手軸Ｓの周りに半径方向にかつ長手軸Ｓから離れるように垂直に延びる半径方向Ｒにおいて、離れるように延在する。保持要素１３４のそれぞれには、たとえば本明細書において、半径方向Ｒおよび長手方向Ｘに面する各ラッチ要素１３５の角を丸めた先端部の形態で示すような、作動手段１３８が設けられる。
【００３６】
図４に類似して、図１４は、図４に示すものに似た本発明によるエンクロージャアセンブリ１００’、すなわちその部品の、別の可能な実施形態を示す。エンクロージャアセンブリ１００’は、外側シェル１１０’、内側本体１１１’、２つのワッシャ１１３’、シーリング要素１１４’、ばね要素１１５’、および遮蔽要素１１６’をさらに備える。内側本体１１１’は、１つの要素として統合された、これらと、または図４に図示したエンクロージャアセンブリ１００の実施形態のばね式リテーナ１１２と組み合わされた、内側本体１１１の特徴を有する。ラッチ要素１３５’および保持要素１３４’は、内側本体１１１’の中にまたは内側本体１１１’に形成される。ばね要素１１５は、内側はね本体１１１’の外周上に配置される。
【００３７】
さらに、図４で、ばね要素１１５が、内側本体１１１の外周を包囲すると共に、その前端部１１５ａが内側本体１１１に長手方向Ｘの反対方向に面する縁部を提供するリムとして形成された支持部１３９のところにある状態で、支持されることが明らかになる。ばね要素１１５の後端部１１５ｂは、長手方向Ｘの反対方向に外側シェル１１０に向かって面する。遮蔽要素１１６は、内側本体１１１の中に挿入されるように適合されたスリーブ区域１１６ａ、および、スリーブ区域１１６ａの周りに環状に配置された複数のコンタクトばね要素を備えるカフ１１６ｂを備える。このことにより、遮蔽要素１１６を、内側本体１１１の前方リム１４０上に据え、この前方リム上に密にフィットさせることができる。エンクロージャアセンブリ１００を相手側エンクロージャアセンブリとポジティブフィットによって密に係合するために（図７から図１３を参照）、内側本体１１１には、本質的にプラグ方向Ｐに面しかつ相手側エンクロージャアセンブリの対合する相手側外形と相補的に形状形成された、嵌合外形１４１が設けられる（図９および図１０を参照）。
【００３８】
図５は、エンクロージャアセンブリ１００が事前組立状態Ｂにありかつ事前ロック位置Ｖにある、プラグコネクタ１を示す。リテーナブッシング１０４、ばね式リテーナ１１２、および張力解放要素１０１を備える入れ子式サブアセンブリ１２１が、外側シェル１１０および内側本体１１１を備えるハウジングサブアセンブリ１２０によって提供される内部空間１０７内に受容される。内側本体１１１およびシーリングサブアセンブリ１２２は、外側シェル１１０によって提供される容積１２４内に受容される。終端構成２００は、内部空間１０７内に受容される。
【００３９】
ケーブル３００は、ケーブル３００が伝送線３０１とケーブルのシース３０３との間に配設されるように伝送線３０１を取り囲むケーブルの強度部材３０２が、固定具２０７に固定されるという形で、終端構成２００に接続される。このことにより、ケーブル３００は固定具２０７に緩くフィットした状態に保持される。固定具２０７は、強度部材３０２を受容しこれらを固定具２０７の外側へ通すための、スロット２１２を有する。そこにおいて強度部材３０２が、固定具２０７にたとえば接着剤で固定される。接着剤またはポッティングは、固定具２０７の周りの空間を取り囲み、ケーブル３００を少なくとも強度部材３０２を介して固定具２０７に固定するために使用され、またさらに保護被覆（boot）１０１をケーブルに対して封止する。
【００４０】
さらに、ケーブル３０３は、張力解放要素１０１によって、外側のねじ山１０８の領域内で、案内される。外側のねじ山１０８の領域は、特に事前組立状態Ｂにおいてリテーナブッシング１０４の内側のねじ山１０９に螺入される。張力解放要素１０１は、「滑り嵌め」された保護被覆とすることができるが、水密ではなくまたオーバーモールド成形のものではない。固定具２０７の固定部材２０８は、案内支持部２０２の保持構造２０５内に保持される。したがって、伝送線３０１の張力解放は、伝送線３０１がケーブル３００のシース３０３から出てコネクタ２０１の中に入りその中で終端されるまでの箇所の間で、ケーブル３００、特にその強度部材３０２およびシース３０３、固定具２０７、案内支持部２０２、ならびにコネクタ２０１の間のポジティブフィットおよび／または摩擦接続によって、もたらされる。
固定具２０７は、支持要素２１０がリテーナブッシング１０４の内周に沿って延在する環状リムの形態の対合する支持要素１４２に当接する形で、リテーナブッシング１０４内に支持され、こうして固定具２０７が中に据えられる狭窄部が提供される。
【００４１】
リテーナブッシング１０４は、そのリテーナ区域１０６と共にばね式リテーナ１１２内に受容される。長手方向Ｘに面するばね式リテーナ１１２のカラー区域１３６の端部およびリテーナブッシング１０４の前方リム１４０は、高さ方向Ｚにおいて互いに本質的に整列される、すなわち、長手方向Ｘにおいて本質的に同じレベルに配置される。保持要素１３４のそれぞれにたとえば歯部として形成された保持手段、保持歯部、または保持リブ１４３は、対合する保持リブ１４４から、ある距離を置いて保持される。対合する保持リブ１４４は、リテーナ区域１０６の外周に長手方向Ｘに平行に互いから等距離に置かれた複数のリブおよび／もしくは複数の歯部またはねじ山の形状で形成される。保持リブ１４３は、ラッチ要素１３５の、作動手段１３８と高さ方向Ｚにおいて反対の側、すなわち半径方向Ｒの反対方向の側に形成される。
したがって、作動手段１３８を半径方向Ｒの反対方向に押圧することによって、保持要素１３４はリテーナ区域１０６に向かって付勢される。このことにより、保持リブ１４３は、対合する保持リブ１４４に係合され、この結果、これらは長手方向Ｘに沿った突起として重なり合い、リテーナブッシング１０４のばね式リテーナ１１２に対する移動を阻止する。ばね式リテーナ１１２は、ラッチ要素１３５が対合するラッチ要素１３３内に受容されるという形で、内側本体１０４に対する移動に対抗するように固着される。したがって、ばね式リテーナ１１２は、内側本体１０４のところで、長手方向Ｘにおいておよびその反対方向において支持される。
【００４２】
ラッチ要素１３４の作動手段１３８を外側シェル１１０の内周に沿って長手方向Ｘの反対方向に移動させることによって、これらの作動手段１３８は、外側シェル１１０の内周に沿って延在する斜面１４５上に進む。斜面１４５は、外側シェル１１０の解除区域１４６を外側シェル１１０の作動区域１４７から隔てる。解除区域１４６は、作動区域１４７よりも小さい内径を有する。したがって、内側本体１１０の内周は、斜面１４５のところで長手方向Ｘの反対方向に先細となる。解除区域１４６に当接するとき、保持リブ１４３は、対合する保持リブ１４４から半径方向Ｒにおいてある距離で保持され、したがってエンクロージャアセンブリ１００は、保持されていない状態Ｊにある。
【００４３】
エンクロージャアセンブリ１００を保持されていない状態Ｊから保持されている状態Ｋに移すために、ラッチ要素１３４、特にその作動手段１３８が、解除区域１４６から斜面１４５に沿って長手方向Ｘの反対方向に作動区域１４７上へと動かされることになる。この移動を達成するためには、ばね要素１１５のばね力を克服しなければならない。その理由は、ばね要素１１５が、一方側においてその前端部１１５ａがリテーナブッシング１０４の支持部１３９のところにある状態で、かつ他方側の外側シェル１１０の内周に形成された対合する支持部（図示せず）上に、支持され、このことにより外側シェル１１０と内側本体１１１との間に拡張するばね力を生成し、したがって内側本体１１１が外側シェル１１０から離れるようにまたは外に出るように長手方向Ｘに付勢され得るからである。これらのばね力は、第１のピン１３８を案内する第１のスロット１２７によって構成される第１のバヨネット結合部１２５を安全に作動する際に助けとなり得る。
【００４４】
さらに、図５で、リテーナブッシング１０４のシーリング区域１０５が、対合するシーリング区域１４８と整列されることが明らかになる。この対合するシーリング区域１４８は、作動区域１４７と、外側シェル１１０の内周がシーリング区域１４８に対してさらに狭くなる箇所である停止部１４９との間に、外側シェル１１０の内周によって提供される。シーリングアセンブリ１２２は、停止部１４９と、長手方向Ｘの反対方向に面する内側本体１１１の端部のところに形成されたフランジ１３２によって提供される押圧表面１５０との間に配置される。停止部１４９は、外側シェル１１０の対合するシーリング区域１４８と案内区域１５１との間に配置される。張力解放要素１０１のホールディング区域１０３およびシーリング区域１０５を、案内区域１５１内に少なくとも部分的に受容し、かつこのことによって一方側のホールディング区域１０３ならびにシーリング区域１０５と他方側の案内区域１５１との間の半径方向Ｒにおけるあるクリアランスの下で包囲することができる。この結果、これらの間のある遊びによって、ハウジングサブアセンブリ１２０に対して長手方向Ｘにおいておよびその反対方向において、入れ子式サブアセンブリ１２１を、容易にしかし精確に位置直しすることができる。
【００４５】
図６は、エンクロージャアセンブリ１００が完全組立状態Ｃにあるプラグコネクタ１を示し、この場合、エンクロージャアセンブリ１００はロック位置Ｗにありかつ保持された状態Ｋにある。図５に図示する事前組立状態Ｂ、事前ロック位置Ｖ、および保持されていない位置Ｊと比較して、完全組立状態Ｃ、ロック位置Ｗ、および保持された状態Ｋにおいては、入れ子式サブアセンブリ１２１はハウジングサブアセンブリ１２０に対して長手方向Ｘの反対方向に移動される。このことにより、対合するラッチ要素１３３内のラッチ要素１３５はそれらの作動手段１３８と共に、解除区域１４６から斜面１４５を渡って作動区域１４７上に移動される。作動区域１４７は、作動手段１３８を押圧し、こうして保持リブ１４３を対合する保持リブ１４４に向けて付勢する。このことにより、保持リブ１４３は対合する保持リブ１４４と噛み合わされ、この結果、これらは長手方向Ｘにおいて互いと重なり合い、入れ子式サブアセンブリ１２１のハウジングサブアセンブリ１２０に対する長手方向Ｘに平行な移動を防止する。
【００４６】
さらに、押圧表面１５０は、エンクロージャアセンブリ１００を保持されていない位置Ｊから保持された位置Ｋへと移すときに、同時に移動される。この結果、押圧表面１５０は、シーリングサブアセンブリ１２２を停止部１４９に押し付けるように付勢する。このことにより、シーリング要素は、長手方向Ｘに平行に圧縮され、こうして半径方向Ｒに拡張される。シーリング要素１２２のこの弾性変形により、シーリング要素１２２が、ハウジングサブアセンブリ１２０と入れ子式サブアセンブリ１２１との間、特に内側本体１１１に設けられたシーリング区域１０５と外側シェル１１０に設けられた対合するシーリング区域１４８との間を封止することがもたらされる。言い換えれば、シーリングサブアセンブリ１２２は、外側シェル１１０の内周と内側本体１０５の外周との間を、張力解放要素１０１がエンクロージャアセンブリ１００の内部空間１０７の中に入る箇所である案内区域１５１の近傍で封止する。内部空間１０７は、エンクロージャアセンブリ１００の後方部１５２に向けて封止される（図７および図８を参照）。
【００４７】
図７は、長手軸Ｓに沿った概略断面図で図示した、プラグコネクタ１および相手側プラグコネクタ２が完全に嵌合された位置Ｍにある最終状態Ｆにある、本発明の実施形態によるコネクタアセンブリ１０を示す。この場合、エンクロージャアセンブリ１００は完全組立状態Ｃにあり、かつ保持された状態Ｋおよび第１の保持位置Ｅｍｉｎ、すなわち拡張が最小である位置にある。第１の保持位置Ｅｍｉｎにおいて、コネクタ２０１の先端部２１４と外側シェルまたしたがってエンクロージャアセンブリ１００の前縁部１１９との間の距離ｄ２１４，１１９，ｍａｘは、先端部２１４が長手方向Ｘにおいて前端部１１９の少しだけ上方にあるという点で最大である。言い換えれば、コネクタ２０１は、長手方向Ｘにおいてエンクロージャアセンブリ１００の内部空間１０７の僅かに外に移動される。
【００４８】
第１の保持位置Ｅｍｉｎでは、エンクロージャアセンブリ１００は、長手方向Ｘに平行に測定した、最小長さｌ１００，ｍｉｎを有する。エンクロージャアセンブリ１００の最小長さｌ１００，ｍｉｎは本質的に、外側シェル１１０の長さｌ１１０および張力解放要素１０１の可撓性区域１０２の長さｌ１００の和であり、いずれも長手方向Ｘに平行に測定される。ホールディング区域１０３を、その全体長さｌ１０３と共に案内区域１５１内に受容することができる。シーリングアセンブリ１２２を、長手方向Ｘに平行に測定した長さｌ１０５でのシーリング区域１０５の後端部の位置に配置することができる。保持手段１４３を、長手方向Ｘに平行に測定した長さｌ１０６を有するリテーナ区域１０６の後端部に配置することができる。プラグコネクタ１の全体最小接続長さｌ１，ｍｉｎを、エンクロージャアセンブリ１００の長さｌ１００，ｍｉｎおよび先端部２１４と前縁部１１９との間の距離ｄ２１４，１１９，ｍａｘの和と見なすことができる。
【００４９】
さらに、図７で、相手側プラグコネクタ２が、相手側プラグ開口部４０３を通してプラグ方向Ｐにおいてアクセス可能な嵌まり合う内部空間を提供する相手側ハウジング４０１を有する、相手側エンクロージャアセンブリ４００を備えることが明らかになる。言い換えれば、嵌まり合うプラグ開口部４０３は、プラグ方向Ｐの反対方向に延びる相手側プラグ方向Ｐ’に開いている。相手側プラグコネクタ２を、この相手側プラグコネクタ２をプラグコネクタ１に向けて相手側プラグ方向Ｐ’に移動させることによって、プラグコネクタ１と嵌め合わせることができる。完全嵌合状態Ｍにおいて、プラグ面３は、嵌合プラグ面４と相補的に係合している。プラグ部分５は、嵌合プラグ部分６の中に差し込まれる。コネクタ２０１を、相手側ハウジング４０１の長手方向Ｘにおいてプラグコネクタ１から離れるように面を向ける端部に形成された、相手側後方開口部４０４の中に、長手方向Ｘに配置することができる。
【００５０】
プラグコネクタ１と相手側プラグコネクタ２との間を封止するために、嵌合プラグ部分６を外側で周方向に包囲する、相手側シーリング要素４０５を設けることができる。相手側シーリング要素４０５を、環状シールとして形成することができる。相手側シーリング要素４０５は、特にシーリングカラー１１８の領域において、外側シェル１１０の内周に沿ってエンクロージャアセンブリ１００に当接し得る。このことにより、内部空間１０７を、相手側シーリング要素４０５によって前方で、またシーリング構成１２２によって後方で、封止することができる。封止しなければならない第３のエリアが存在する。すなわち、ケーブルに対する保護被覆１０１およびリテーナブッシング１０４である。このことは、固定具２０７の周りの空間をポッティング／糊付けすることによって達成される。
段部１１７および／または前縁部１１９は、相手側エンクロージャアセンブリ４００に、長手方向Ｘにおいて当接することができる。嵌合プラグ部分６を、シーリングカラー１１８と前方リム１４０との間に半径方向Ｒに沿って少なくとも部分的に配置することができる。この結果、嵌合プラグ部分６は、外側シェル１１０と内側本体１１１との間に埋め込まれて密にフィットしながら、プラグ部分５の少なくとも複数の部分を提供し、このことにより、プラグ要素１と相手側プラグ要素２との間の機械的に安定したポジティブフィットおよび／または摩擦嵌め接続がもたらされる。
【００５１】
図８は、最終状態Ｆにある、コネクタアセンブリ１０’のさらなる実施形態を示しており、この最終状態Ｆでは、図７に示す図に類似して中心軸Ｓに沿った概略断面図で図示した、プラグコネクタ１および相手側プラグコネクタ２’のさらなる実施形態が完全嵌合位置Ｍにある。この場合、エンクロージャアセンブリ１００は完全組立状態Ｃにあり、第２の保持位置Ｅｍａｘ、すなわち拡張が最大である位置にある保持された状態Ｋにある。図７に示すような第１の保持位置Ｅｍｉｎと比較して、図８では、エンクロージャアセンブリ１００が、最小長さｌ１００，ｍｉｎを超える最大長さｌ１００，ｍａｘを有することが明らかである。コネクタ２０１の先端部２１４は、長手方向Ｘに平行に測定した、前縁部１１９に対する最小距離ｄ２１４，１１９，ｍｉｎの下で配置される。最小距離ｄ２１４，１１９，ｍｉｎは、負の距離とすることができる。このことは、先端部２１４が、長手方向Ｘと反対方向に、前縁部１１９より後方で内部空間１０７の中へと引かれる場合があることを意味する。このことにより、コネクタ１は、プラグ面３’のさらなる実施形態およびプラグ部分５’のさらなる実施形態を提供し、またしたがって、嵌合プラグ面４’および嵌合プラグ部分６’のさらなる実施形態にそれぞれ合わせて適合される。コネクタ２０１を、相手側後方開口部４０４から長手方向Ｘにある距離を置いて保持することができる。
【００５２】
さらに、図８に示すように、第２の保持位置Ｅｍａｘでは、ホールディング区域１０３は案内区域１５１から長手方向Ｘの反対方向にほぼ完全に引き抜かれている。保持手段１４３は、リテーナ区域１０６の前端部に配置され、リテーナ区域１０６は、対合するシーリング区域１４８の中へと長手方向Ｘの反対方向にほぼ完全に引き抜かれている。対合するシーリング区域１４８の長さｌ１４８は、シーリング区域１０５の長さｌ１０５に本質的に等しくてよく、いずれも長手方向Ｘに平行に測定される。案内区域１５１の長さｌ１５１は、リテーナ区域１０６の長さｌ１０６に本質的に等しくてよく、いずれも長手方向Ｘに平行に測定される。
【００５３】
図９は、本発明の実施形態による相手側プラグコネクタ２、２’の様々な実施形態に好適な、本発明の実施形態による相手側エンクロージャアセンブリ４００の概略斜視図を示す。相手側エンクロージャアセンブリ４００は、相手側ハウジング４０１を備える。相手側ハウジング４０１は、プラグ方向Ｐにおいてプラグ開口部４０３を通して、またさらに相手側プラグ方向Ｐ’において相手側後方開口部４０４を通してアクセス可能な、相手側内部空間４０２を提供する。相手側プラグコネクタの所望の実施形態および／または必要とされる実施形態（図示せず）と共に、相手側エンクロージャアセンブリ４００は、嵌合プラグ面４、４’および嵌合プラグ部分６、６’の、それぞれの実施形態を提供する。
【００５４】
相手側プラグ開口部４０３は、本質的に円筒形である相手側スリーブ４０６において形成される。相手側スリーブ４０６は、相手側ハウジング４０１のプレート状の装着基部４０７から相手側プラグ方向Ｐ’において延在する。相手側外形４０８は、相手側スリーブ４０６に、プラグ要素１のエンクロージャアセンブリ１００の外形４０１と相補的に形成される。相手側外形４０８は、複数のラグ４０９によって形成されてよい。複数のラグ４０９は、相手側スリーブ４０６の前面から相手側プラグ方向Ｐ’に突出し、互いの間に２つの切欠き４１１を形成する。したがって、相手側外形４０８は、外形１４１とのポジティブフィットを確立することができる。この結果、エンクロージャアセンブリ１００の、特に本体１１１の、回転方向Ｔへの移動を阻止することができる。なお、この回転方向Ｔは、本質的に横断方向Ｙおよび高さ方向Ｚに平行に延在する平面内での数学上の正の回動としての、長手方向Ｓを周方向に取り囲む方向である。
【００５５】
さらに、相手側ピンまたは第２のピン４１２を、嵌合プラグ部分６、６’に設けることができる。たとえば、４つの第２のピン４１２を、嵌合プラグ部分６、６’の外周に沿って、互いまでの等しい距離の下で長手軸Ｓに対して周方向に分布することができる。第２のピン４１２は、嵌合プラグ部分５、５’から半径方向Ｒに突出してよい。たとえば、第２のピン４１２は、ラグ４０９に配置されてよい。２つの第２のピン４１２を、ラグ４０９のそれぞれに形成してよい。第２のピン４１２は、第２のバヨネット結合部１２６の少なくとも一部を形成するように適合されかつ配置される。これらを、エンクロージャアセンブリ１００を相手側エンクロージャアセンブリ４００に接続するために、第２のスロット１２８内で密にフィットしながら案内されるように形成することができる。２つの切欠きおよび４つのピンの代わりに、それぞれ１つの切欠き４１１および２つの第２のピン４１２のみを有する、相手側エンクロージャアセンブリ４００を使用することもできる。
【００５６】
相手側シーリング要素４０５を相手側エンクロージャアセンブリ４００のところに保持するために、エンクロージャアセンブリ４００には、嵌合プラグ部分６、６’、特に相手側スリーブ４０６の周りに周方向に延在する溝の形態の、台座４１３を設けることができる。相手側エンクロージャアセンブリ４００を装着するために、基部には、たとえばねじまたはポジティブフィットおよび／もしくは摩擦嵌めを可能にする他の要素によって、エンクロージャアセンブリ４００を電気機器のエンクロージャ、ハウジング、または他の部品に装着するための、たとえば鳩目または貫通孔の形態の装着要素４１４を設けることができる。
【００５７】
図１０は、別の概略斜視図において、相手側プラグコネクタ２、２’の様々な実施形態用の、相手側エンクロージャアセンブリ４００を示す。ここで、相手側内部空間４０２が、横断方向Ｙおよび高さ方向Ｚに平行に延在する平面内に本質的に延在する、本質的に矩形である相手側後方開口部４０４を通してアクセス可能であることが明らかになる。このことにより、相手側後方開口部４０４内に、回転方向Ｔまたはその反対方向における相手側コネクタの相手側エンクロージャアセンブリ４００に対する移動を阻止するように、ポジティブフィットの様式で、送受信機（図示せず）を有するケージを設置することができる。さらに、図１０で、相手側後方開口部４０４が、エンクロージャアセンブリ４００の、特に相手側ハウジング４０１の、延長部４１５の後側部に形成されることが明らかになる。延長部４１５を使用して、相手側エンクロージャアセンブリ４００を電子機器（図示せず）の壁部部分を通して伸ばすことができる。
【００５８】
図１１は、エンクロージャアセンブリ１００が保持されていない状態Ｊにおいて事前ロック位置Ｖにありかつ相手側エンクロージャアセンブリ４００が嵌合されていない位置Ｏにある、コネクタアセンブリ１０、１０’の詳細の概略斜視図を示す。この場合、エンクロージャアセンブリ１００および相手側エンクロージャアセンブリ４００は、それぞれプラグ方向Ｐおよびプラグ外し方向Ｐ’への互いに対する移動によって、互いと係合することができる。第１のピン１３１は、挿入開口部１３０を通してロック機構１２３の中に導入され、その後第２のスロット１２８に沿い、次いで移行スロット１２９に沿って、そこから第１のスロット１２７の中へと移動され、最後に、第１のスロット１２７の案内部１２７ｂおよび保持構造１２７ｃを通過した後、第１のスロット１２７の事前ロック端部１２７ａ内に留まる。
本質的に長手方向Ｘに平行に測定された、事前ロック端部１２７ａと保持構造１２７ｃとの間の距離ｄ１２７ａ，１２７ｃは、本質的に長手方向Ｘに平行に測定された、解除区域１４６と作動区域１４７との間の距離ｄ１４６，１４７に本質的に等しい。距離ｄ１２７ａ，１２７ｃおよび距離ｄ１４６，１４７はいずれも、事前ロック位置Ｖとロック位置Ｗとの間の距離ｄＶＷに本質的に等しい。したがって、内側本体１１１を外側シェル１１０に対して回転方向Ｔに回転させることによって、第１のピン１３１を事前ロック端部１２７ａから外に出して案内部１２７ｂに沿って保持構造１２７ｃ内へと移動させることができる。またここにおいて、エンクロージャアセンブリ１００を、事前ロック位置Ｖからロック位置Ｗへと、またしたがって保持されていない状態Ｊから保持された状態Ｋへと移すことができる。
【００５９】
図１２は、コネクタアセンブリ１０、１０’が事前嵌合位置Ｎにあるロック機構１２３の詳細の概略斜視図を示す。この場合、エンクロージャアセンブリ１００は、事前ロック位置Ｖおよび保持されていない状態Ｊにあり、このとき相手側エンクロージャアセンブリ４００と部分的に係合されている。事前嵌合位置Ｎにおいて、外形１４１および相手側外形４１１を、互いと少なくとも部分的に係合させることができる。第２のピン４１２を、挿入開口部１３０内に設置することができる。コネクタアセンブリ１０、１０’をエンクロージャアセンブリ１００と嵌め合わせるために、図２に示すような内側ケーブルアセンブリが最初に嵌め合わされる。その後、図４に示すような外側シェル１１０を有する外側シェルアセンブリを意味する、ハウジングサブアセンブリ１２０が嵌め合わされる。このように、嵌め合わせは連続的に行われる。
次いで、事前嵌合位置Ｎにおいて、コネクタ２０１が相手側コネクタ（図示せず）と正しく係合したままであり得る間に、保持位置Ｅｍｉｎ、Ｅｍａｘを調整することができる。言い換えれば、エンクロージャアセンブリ１００が解除状態Ｋおよび事前ロック位置Ｖにある事前嵌合位置Ｎは、エンクロージャアセンブリ１００が完全組立状態Ｃにある状況であり得る。またこの状況では、ハウジングサブアセンブリ１２０に対して入れ子式サブアセンブリ１２１を移動させることにより、終端構成２００の、特にコネクタ２０１の先端部２１４の外側シェル１１０に対する位置を、伸縮移動を行ってコネクタアセンブリ１０、１０’の所望の寸法および／または必要とされる寸法を提供することによって、長手方向Ｘに平行に調整することができる。このときコネクタ２０１は、エンクロージャアセンブリ１００内に受容される、および／または相手側コネクタと嵌め合わされた後である。
【００６０】
図１３は、最終状態Ｆにある、コネクタアセンブリ１０、１０’のロック機構１２３の詳細の、概略斜視図である。最終状態Ｆにおいて、エンクロージャアセンブリ１００および相手側エンクロージャアセンブリ４００、ならびにしたがってプラグコネクタ１および相手側プラグコネクタ２、２’は、完全に嵌合された位置Ｍにある。エンクロージャアセンブリ１００は、完全組立状態Ｃにあり、保持された状態Ｋにありかつロック位置Ｗにある。ピン１３１は、保持構造１２７ｃ内に留まる。第２のピン４１２は、第２のスロット１２８の相手側構造１２８ｂ内に留まる。第２のピン４１２は、図１２に示す挿入開口部１３０内のその位置から出て、第２のスロット１２８の相手側案内部１２８ａに沿って移動している。このことにより、第２のピン４１２は、挿入開口部１３０と相手側構造１２８ｂとの間の距離ｄ１３０，１２８ｂを長手方向Ｘに平行に移行している。
この距離は、事前ロック端部１２７ａと保持構造１２７ｃとの間の距離ｄ１２７ａ，１２７ｃに本質的に等しい。案内部１２７ｂおよび相手側案内部１２８ａは、本質的に同じ長さを有することができる。これらはこのことにより、エンクロージャアセンブリ１００を事前ロック位置Ｖからロック位置Ｗへと移し、また同時にコネクタアセンブリ１０、１０’を事前嵌合位置Ｎから完全に嵌合された位置Ｍに移すときに、第１のピン１３１および第２のピン４１２が、本質的に同じ距離に沿って同時に移行することを可能にする。
【００６１】
本発明によるプラグコネクタ１、相手側プラグコネクタ２、２’、およびエンクロージャアセンブリ１００、１００’、相手側エンクロージャアセンブリ４００をそれぞれ備える、コネクタアセンブリ１０、１０’の上記の実施形態からの変更が、進歩性を備えた発想から逸脱することなく可能である。プラグコネクタ１を、それぞれの相手側コネクタ２、２’に合わせて適合できるプラグ面３、３’、およびプラグ部分５、５’を有する、プラグ要素またはプラグとして設計することができる。この相手側コネクタ２、２’を、特定の用途に関して望まれるような、嵌合プラグ面４、４’および嵌合プラグ部分６、６’を有する、相手側プラグ要素またはレセプタクルとして提供することができる。
【００６２】
本発明の実施形態によるエンクロージャアセンブリ１００、１００’は、張力解放要素１０１、可撓性区域１０２、ホールディング区域１０３、リテーナブッシング１０４、シーリング区域１０５、リテーナ区域１０６、内部空間１０７、外側のねじ山１０８、内側のねじ山１０９、外側シェル１１０、内側本体１１１、ばね式リテーナ１１２、ワッシャ１１３、シーリング要素１１４、遮蔽要素１１６、段部１１７、シーリングカラー１１８、前縁部１１９を、本発明のそれぞれの実施形態によるハウジングサブアセンブリ１２０、入れ子式サブアセンブリ１２１、およびシーリングサブアセンブリ１２２、ならびに／またはロック機構１２３を提供するために、所望の任意の数および形態で備え得る。これらは所望に応じて形成または形状形成することができる。
またこれらには、容積１２４、第１のバヨネット結合部１２５、第２のバヨネット結合部１２６、事前ロック端部１２７ａ，案内部１２７ｂ，保持構造１２７ｃを有する第１のスロット１２７、相手側案内部１２８ａ，相手側構造１２８ｂを有する第２のスロット１２８、ならびに、フランジ１３２、対合するラッチ要素１３３、保持要素１３４、ラッチ要素１３５、カラー区域１３６、ばね区域１３７、作動手段１３８、支持部１３９、前方リム１４０、外形１４１、対合する支持要素１４２、保持手段１４３、対合する保持手段１４４、斜面１４５、解除区域１４６、作動区域１４７、対合するシーリング区域１４８、対合するシーリング区域、停止部１４９、押圧表面１５０、案内区域１５１、および／または後方部１５２を、特定の用途のために必要とされる任意の数および形態で設けることができる。
【００６３】
本発明の実施形態による終端構成２００は、コネクタ２０１、上側シェル２０２ａ、下側シェル２０２ｂを有する案内支持部２０２、台座２０３、装着区域２０４、保持構造２０５、経路２０６、固定具２０７、固定部材２０８、支持要素２１０、貫通孔２１１、スロット２１２、および／または先端部２１４を、ケーブル３００を終端するために必要とされる任意の数および形態で備え得る。ケーブル３００は、伝送線３０１、強度部材３０２、および／またはシース３０３を、所望の用途のために必要とされる任意の数および形態で備え得る。
【００６４】
本発明の実施形態による相手側エンクロージャアセンブリ４００は、相手側ハウジング４０１、相手側内部空間４０２、相手側プラグ開口部４０３、相手側後方開口部４０４、相手側シーリング要素４０５、相手側スリーブ４０６、装着基部４０７、相手側外形４０８、ラグ４０９、前面４１０、切欠き４１１、相手側ピン４１２、台座４１３、装着要素４１４、および／または延長部４１５を、所望の用途のために必要とされる任意の数および形態で備え得る。
【符号の説明】
【００６５】
１  プラグ要素／コネクタ
２、２’  相手側プラグ要素／コネクタ
３、３’  プラグ面
４、４’  相手側プラグ面
５、５’  プラグ部分（プラグ）
６、６’  嵌合プラグ部分（レセプタクル）
１０、１０’  コネクタアセンブリ
１００、１００’  エンクロージャアセンブリ
１０１  張力解放要素
１０２  可撓性区域
１０３  ホールディング区域
１０４  リテーナブッシング
１０５  シーリング区域
１０６  リテーナ区域
１０７  内部空間
１０８  外側のねじ山
１０９  内側のねじ山
１１０  外側シェル
１１１、１１１’  内側本体
１１２  ばね式リテーナ
１１３、１１３’  ワッシャ
１１４、１１４’  シーリング要素
１１５、１１５’  ばね要素
１１５ａ  ばね要素の前端部
１１５ｂ  ばね要素の後端部
１１６、１１６’  遮蔽要素
１１６ａ  スリーブ区域
１１６ｂ  カフ
１１７  段部
１１８  シーリングカラー
１１９  前縁部
１２０  ハウジングサブアセンブリ
１２１  入れ子式サブアセンブリ
１２２  シーリングサブアセンブリ
１２３  ロック機構
１２４  容積
１２５  第１のバヨネット結合部
１２６  第２のバヨネット結合部
１２７  第１のスロット
１２７ａ  事前ロック端部
１２７ｂ  案内部
１２７ｃ  保持構造
１２８  第２のスロット
１２８ａ  相手側案内部
１２８ｂ  相手側構造
１３０  挿入開口部
１３２  第１のピン
１３３  対合するラッチ要素
１３４  保持要素
１３５  ラッチ要素
１３６  カラー区域
１３７  ばね区域
１３８  作動手段
１３９  支持部
１４０  前方リム
１４１  外形
１４２  対合する支持要素
１４３  保持手段／保持歯部
１４４  対合する保持手段／保持リブ
１４５  斜面
１４６  解除区域
１４７  作動区域
１４８  対合するシーリング区域
１４９  停止部
１５０  押圧表面
１５１  案内区域
１５２  後方部
２００  終端構成
２０１  コネクタ／端子
２０２  案内支持部
２０２ａ  案内支持部の上側シェル
２０２ｂ  案内支持部の下側シェル
２０３  台座
２０４  装着区域
２０５  保持構造
２０６  経路
２０７  端部コネクタアダプタ部／固定具／端部キャップ
２０８  固定部材
２１０  支持要素／カラー／フランジ
２１１  貫通孔
２１２  管部分／スロット
２１４  コネクタ／端子の先端部
３００  ケーブル
３０１  伝送線
３０２  強度部材
３０３  シース
４００  相手側エンクロージャアセンブリ
４０１  相手側ハウジング
４０２  相手側内部空間
４０３  相手側プラグ開口部
４０４  相手側後方開口部
４０５  相手側シーリング要素
４０６  相手側スリーブ
４０７  装着基部
４０８  相手側外形
４０９  ラグ
４１０  前面
４１１  切欠き
４１２  相手側ピン／第２のピン
４１３  台座
４１４  装着要素
４１５  延長部
Ａ  組み立てられていない状態
Ｂ、Ｂ’  事前組立状態
Ｃ  完全組立状態
Ｅｍｉｎ  第１の保持位置／拡張が最小
Ｅｍａｘ  第２の保持位置／拡張が最大
Ｆ  最終状態
Ｊ  保持されていない状態
Ｋ  保持された状態
Ｏ  嵌合されていない位置
Ｎ  事前嵌合位置
Ｍ  完全嵌合位置
Ｕ  ロックされていない位置
Ｖ  事前ロック位置
Ｗ  ロック位置
Ｒ  半径方向
Ｓ  軸方向／中心軸／長手軸
Ｐ、Ｐ’  プラグ方向／相手側プラグ方向
Ｔ  回転方向
Ｘ  長手方向
Ｙ  横断方向
Ｚ  高さ方向／垂直方向
ｌ１，ｍｉｎ  プラグコネクタの最小長さ
ｌ１，ｍａｘ  プラグコネクタの最大長さ
ｌ１００，ｍｉｎ  エンクロージャアセンブリの最小長さ
ｌ１００，ｍａｘ  エンクロージャアセンブリの最大長さ
ｌ１０２  可撓性区域の長さ
ｌ１０３  ホールディング区域の長さ
ｌ１０５  シーリング区域の長さ
ｌ１０６  リテーナ区域の長さ
ｌ１１０  外側シェルの長さ
ｌ１４８  対合するシーリング区域の長さ
ｌ１５１  案内区域の長さ
ｄ２１４，１１９，ｍａｘ  先端部２１４と前縁部１１９との間の最大距離
ｄ２１４，１１９，ｍｉｎ  先端部２１４と前縁部１１９との間の最小距離
ｄ１４６，１４７  解除区域１４６と作動区域１４７との間の距離
ｄＶ，Ｗ  事前ロック位置Ｖとロック位置Ｗとの間の距離
【図１】
0006595243.tif 000002
【図２】
0006595243.tif 000003
【図３】
0006595243.tif 000004
【図４】
0006595243.tif 000005
【図５】
0006595243.tif 000006
【図６】
0006595243.tif 000007
【図７】
0006595243.tif 000008
【図８】
0006595243.tif 000009
【図９】
0006595243.tif 000010
【図１０】
0006595243.tif 000011
【図１１】
0006595243.tif 000012
【図１２】
0006595243.tif 000013
【図１３】
0006595243.tif 000014
【図１４】
0006595243.tif 000015